(57)【要約】      （修正有）【課題】一つのトランスで電気的特性に合わせて多出力を効率的に作り出すことができる多出力トランスを提供する。【解決手段】多出力トランスは、１つの入力端子１７ａ及び１つの接地端子１７ｂを有する１つの１次巻線部１３が設けられた１次ボビン１０と、２つの出力端子１８ａ及び１８ｂと２つの出力端子１８ｃ及び１８ｄとのうちのいずれかを各々有するｎ（ｎ：正数）個の２次巻線部１４が設けられた２次ボビン１１と、１つの１次巻線部１３に巻線された１次コイル１５と、ｎ個の２次巻線部１４に各々巻線された２次コイル１６と、１次ボビン１０と２次ボビン１１とが分離されるように、１次ボビン１０及び２次ボビン１１内に設けられた挿入ホールに各々挿入される一対のコア１２と、を備える。【選択図】図１
2009246328.tif 000002
【特許請求の範囲】
【請求項１】
１つの入力端子及び１つの接地端子を有する１つの１次巻線部が設けられた１次ボビンと、
２つの出力端子を各々有するｎ（ｎ：正数）個の２次巻線部が設けられた２次ボビンと、
前記１つの１次巻線部に巻線された１次コイルと、
前記ｎ個の２次巻線部に各々巻線された２次コイルと、
前記１次ボビンと前記２次ボビンとが分離されるように、前記１次ボビン及び前記２次ボビン内に設けられた挿入ホールに各々挿入される一対のコアと、
を備えることを特徴とする多出力トランス。
【請求項２】
前記２次ボビンは、前記１次ボビンと同じ大きさを有し、前記１次ボビンと対向するように位置することを特徴とする請求項１に記載の多出力トランス。
【請求項３】
前記１次巻線部の入力端子及び接地端子は、全て同じ方向に位置することを特徴とする請求項１に記載の多出力トランス。
【請求項４】
前記２次巻線部の２つの出力端子は、全て同じ方向に位置することを特徴とする請求項１に記載の多出力トランス。
【請求項５】
前記１つの入力端子及び前記１つの接地端子は、前記１次巻線部の両端部に位置することを特徴とする請求項１に記載の多出力トランス。
【請求項６】
前記２つの出力端子は、前記２次巻線部の両端部に位置することを特徴とする請求項１に記載の多出力トランス。
【請求項７】
前記１次コイルは、前記１次巻線部の前記入力端子から巻線が始まって、前記接地端子で巻線が終わることを特徴とする請求項１に記載の多出力トランス。
【請求項８】
前記２次コイルは、前記２次巻線部の一方の出力端子から巻線が始まって、他方の出力端子で巻線が終わることを特徴とする請求項１に記載の多出力トランス。
【請求項９】
１つの入力端子及び１つの接地端子を有する１つの１次巻線部が設けられた１次ボビンと、
２つの出力端子を同じ方向に各々有するｎ（ｎ：正数）個の２次巻線部が設けられた２次ボビンと、
前記１つの１次巻線部に巻線された１次コイルと、
前記ｎ個の２次巻線部に各々巻線された２次コイルと、
前記１次ボビンと前記２次ボビンとが分離されるように、前記１次ボビン及び前記２次ボビン内に設けられた挿入ホールに各々挿入される一対のコアと、を備え、
前記２次ボビンは、
前記２つの出力端子と反対方向に（ｎ＋１）（ｎ：正数）個の補助端子を有し、前記補助端子は前記各２次巻線部の両端部に位置することを特徴とする多出力トランス。
【請求項１０】
前記２次コイルは、前記２次巻線部の補助端子から巻線が始まって、前記２次巻線部の２つの出力端子のうちのいずれか一方で巻線が終わることを特徴とする請求項９に記載の多出力トランス。
【請求項１１】
前記コアは、Ｕ字状コアであることを特徴とする請求項１または９に記載の多出力トランス。
【請求項１２】
１つの入力端子及び１つの接地端子を有する１つの１次巻線部が設けられた１次ボビンと、
２つの出力端子を各々有するｎ（ｎ：正数）個の２次巻線部が設けられた２次ボビンと、
前記１つの１次巻線部に巻線された１次コイルと、
前記ｎ個の２次巻線部に各々巻線された２次コイルと、
一対のコアと、を備え、
前記２次ボビン内に設けられた挿入ホールに前記１次ボビンが挿入され、前記１次ボビン内に設けられた挿入ホールに前記一対のコアが挿入されることを特徴とする多出力トランス。
【請求項１３】
前記１つの入力端子及び前記１つの接地端子は、前記１次巻線部の両端部に位置することを特徴とする請求項１２に記載の多出力トランス。
【請求項１４】
前記２次巻線部の２つの出力端子は、全て同じ方向に位置することを特徴とする請求項１２に記載の多出力トランス。
【請求項１５】
前記２つの出力端子は、前記２次巻線部の両端部に位置することを特徴とする請求項１２に記載の多出力トランス。
【請求項１６】
前記１次コイルは、前記１次巻線部の前記入力端子から巻線が始まって、前記接地端子で巻線が終わることを特徴とする請求項１２に記載の多出力トランス。
【請求項１７】
前記２次コイルは、前記２次巻線部の一方の出力端子から巻線が始まって、他方の出力端子で巻線が終わることを特徴とする請求項１２に記載の多出力トランス。
【請求項１８】
１つの入力端子及び１つの接地端子を有する１つの１次巻線部が設けられた１次ボビンと、
２つの出力端子を同じ方向に各々有するｎ（ｎ：正数）個の２次巻線部が設けられた２次ボビンと、
前記１つの１次巻線部に巻線された１次コイルと、
前記ｎ個の２次巻線部に各々巻線された２次コイルと、
一対のコアと、を備え、
前記２次ボビン内に設けられた挿入ホールに前記１次ボビンが挿入され、前記１次ボビン内に設けられた挿入ホールに一対のコアが挿入され、
前記２次ボビンは、前記２つの出力端子と反対方向に（ｎ＋１）（ｎ：正数）個の補助端子を有し、前記補助端子は、前記各２次巻線部の両端部に位置することを特徴とする多出力トランス。
【請求項１９】
前記２次コイルは、前記２次巻線部の補助端子から巻線が始まって、前記２次巻線部の２つの出力端子のうちのいずれか一方で巻線が終わることを特徴とする請求項１８に記載の多出力トランス。
【請求項２０】
前記コアは、Ｕ字状コアであることを特徴とする請求項１２または１８に記載の多出力トランス。
【発明の詳細な説明】
【技術分野】
【０００１】
本発明は、トランスに関し、より詳しくは、１次側を設ける１次ボビンと２次側を設ける２次ボビンとが分離された多出力トランスと、１次側を設ける１次ボビンが２次側を設ける２次ボビン内に設けられた挿入ホールに挿入された多出力トランスとに関する。
【背景技術】
【０００２】
近年、表示装置にかかる技術の発達に伴い、コンピュータまたはその他の表示装置の分野において液晶ディスプレイ（ＬＣＤ：Ｌｉｑｕｉｄ  Ｃｒｙｓｔａｌ  Ｄｉｓｐｌａｙ）が広く使用されている。ＬＣＤモニタは、ＣＲＴ（Ｃａｔｈｏｄｅ−ｒａｙ  Ｔｕｂｅ）モニタに比べその縦断面がスリム化されていると共に、チラツキが少ないという長所を有する。そのようなＬＣＤモニタは、バックライト（ｂａｃｋ  ｌｉｇｈｔ）モジュールを備えたバックライトシステム用の、高圧で駆動される蛍光ランプを有する。
【０００３】
蛍光ランプを駆動するものとしては駆動回路を備えたインバータが知られており、そのようなインバータは高圧のトランスを有するものである。このトランスは、低い交流入力電圧で高い交流出力電圧を発生し、ＬＣＤパネルを構成するランプに電圧を供給するものである。
【０００４】
従来のトランスは、１つのトランスを駆動して一つのランプに電源を供給しており、外部電極蛍光ランプ（ＥＥＦＬ：Ｅｘｔｅｒｎａｌ  Ｅｌｅｃｔｒｏｄｅ  Ｆｌｕｏｒｅｓｃeｎｔ  Ｌａｍｐ）または冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）を並列駆動する場合には、数個のトランスを駆動して複数のランプに電源を供給している。
【発明の開示】
【発明が解決しようとする課題】
【０００５】
しかしながら、ＬＣＤＴＶまたはモニタ市場は次第に成熟期に差し掛かっており、販売価格の下落に伴いバックライトユニット関連部品の値段が徐々に低下している。
【０００６】
従って、バックライトユニット関連部品の価格圧迫に対抗して部品点数及び単価を下げるべく一つのトランスで複数のランプを駆動することができる製品の開発が活発化している。
【０００７】
本発明は、上記に鑑みてなされたものであって、１つの１次側を設ける１次ボビンとｎ（ｎ：正数）個の２次側を設ける２次ボビンとを分離し、一つのトランスで電気的特性に合わせて多出力を効率的に作り出すことができる多出力トランスを提供することを目的とする。
【０００８】
また、本発明の別の目的は、１つの１次側を設ける１次ボビンが、ｎ個の２次側を設ける２次ボビン内に設けられた挿入ホールに挿入され、一つのトランスで電気的特性に合わせて多出力を効率的に作り出すことができる多出力トランスを提供することである。
【課題を解決するための手段】
【０００９】
上述した課題を解決し、目的を達成するために、本発明の一態様にかかる多出力トランスは、１つの入力端子及び１つの接地端子を有する１つの１次巻線部が設けられた１次ボビンと、２つの出力端子を各々有するｎ（ｎ：正数）個の２次巻線部が設けられた２次ボビンと、１つの１次巻線部に巻線された１次コイルと、ｎ個の２次巻線部に各々巻線された２次コイルと、１次ボビンと２次ボビンとが分離されるように、１次ボビン及び２次ボビン内に設けられた挿入ホールに各々挿入される一対のコアと、を備えることを特徴とする。
【００１０】
なお、２次ボビンは１次ボビンと同じ大きさを有し、１次ボビンと対向するように位置することができる。
【００１１】
また、１次巻線部の入力端子と接地端子とは、全て同じ方向に位置することができる。
【００１２】
また、２次巻線部の２つの出力端子は、全て同じ方向に位置することができる。
【００１３】
また、１つの入力端子と１つの接地端子とは、１次巻線部の両端部に位置することができる。
【００１４】
また、２つの出力端子は、２次巻線部の両端部に位置することができる。
【００１５】
また、１次コイルは、１次巻線部の入力端子から巻線が始まって、接地端子で巻線が終わるように構成されていても良い。
【００１６】
また、２次コイルは、２次巻線部の一方の出力端子から巻線が始まって、他方の出力端子で巻線が終わるように構成されていても良い。
【００１７】
本発明の別の態様にかかる多出力トランスは、１つの入力端子及び１つの接地端子を有する１つの１次巻線部が設けられた１次ボビンと、２つの出力端子を同じ方向に各々有するｎ（ｎ：正数）個の２次巻線部が設けられた２次ボビンと、１つの１次巻線部に巻線された１次コイルと、ｎ個の２次巻線部に各々巻線された２次コイルと、１次ボビンと２次ボビンとが分離されるように、１次ボビン及び２次ボビン内に設けられた挿入ホールに各々挿入される一対のコアと、を備え、、２次ボビンは２つの出力端子と反対方向に（ｎ＋１）（ｎ：正数）個の補助端子を有し、補助端子は２次巻線部の各々の両端部に位置することを特徴とする。
【００１８】
なお、２次コイルは、２次巻線部の補助端子から巻線が始まって、２次巻線部の２つの出力端子のうちのいずれか一方で巻線が終わるように構成できる。
【００１９】
また、コアはＵ字状コアであってもよい。
【００２０】
本発明のさらに別の態様にかかる多出力トランスは、１つの入力端子及び１つの接地端子を有する１つの１次巻線部が設けられた１次ボビンと、２つの出力端子を各々有するｎ（ｎ：正数）個の２次巻線部が設けられた２次ボビンと、１つの１次巻線部に巻線された１次コイルと、ｎ個の２次巻線部に各々巻線された２次コイルと、一対のコアと、を備え、２次ボビン内に設けられた挿入ホールに１次ボビンが挿入され、１次ボビン内に設けられた挿入ホールに一対のコアが挿入されることを特徴とする。
【００２１】
なお、１つの入力端子及び１つの接地端子は、１次巻線部の両端部に位置することができる。
【００２２】
また、２次巻線部の２つの出力端子は、全て同じ方向に位置することができる。
【００２３】
また、２つの出力端子は、２次巻線部の両端部に位置することができる。
【００２４】
また、１次コイルは、１次巻線部の入力端子から巻線が始まって、接地端子で巻線が終わるように構成されていても良い。
【００２５】
また、２次コイルは、２次巻線部の一方の出力端子から巻線が始まって、他方の出力端子で巻線が終わるように構成されていても良い。
【００２６】
本発明のさらに別の態様にかかる多出力トランスは、１つの入力端子及び１つの接地端子を有する１つの１次巻線部が設けられた１次ボビンと、２つの出力端子を同じ方向に各々有するｎ（ｎ：正数）個の２次巻線部が設けられた２次ボビンと、１つの１次巻線部に巻線された１次コイルと、ｎ個の２次巻線部に各々巻線された２次コイルと、一対のコアと、を備え、２次ボビン内に設けられた挿入ホールに１次ボビンが挿入され、１次ボビン内に設けられた挿入ホールに一対のコアが挿入され、２次ボビンは２つの出力端子と反対方向に（ｎ＋１）（ｎ：正数）個の補助端子を有し、補助端子は２次巻線部の各々の両端部に位置することを特徴とする。
【００２７】
なお、２次コイルは、２次巻線部の補助端子から巻線が始まって、２次巻線部の２つの出力端子のうちのいずれか一方で巻線が終わるように構成されていても良い。
【００２８】
また、コアはＵ字状コアであってもよい。
【発明の効果】
【００２９】
本発明によれば、１つの１次側を設ける１次ボビンとｎ（ｎ：正数）個の２次側を設ける２次ボビンとを分離するか、または１つの１次側を設ける１次ボビンがｎ（ｎ：正数）個の２次側を設ける２次ボビン内に設けられた挿入ホールに挿入されるように構成することによって、出力電流のバランス問題及び高圧出力の絶縁問題の両方を解決することができ、且つ１つのトランスで電気的特性に合わせて多出力を効率的に作り出すことができ、トランスの所要量を減らすことができるという効果を奏する。
【発明を実施するための最良の形態】
【００３０】
以下、添付の図面に示されている本発明の実施の形態を参照して本発明を詳細に説明する。なお、本発明はこれらの実施の形態の他にも様々な他の形態で変形でき、よって本発明の範囲は以下において説明する実施の形態に限定されるものではない。本発明の実施の形態は当分野において通常の知識を有する者に対して本発明をより完全に説明するために供されるものである。従って、図面での各要素の形状、大きさなどはより明確な説明のために誇張されることができ、図面上の同じ符号で示される要素は、同じ要素であることを理解されたい。
【００３１】
（実施の形態１）
図１は、１次ボビンと、１次ボビンから分離された２つの２次巻線部が設けられた２次ボビンとを有する本発明の好適な一実施の形態にかかる多出力トランスの平面図であり、図２及び図３は、多出力トランスの等価回路を示した図面である。
【００３２】
図１に示されるように、１次ボビンと１次ボビンから分離された２つの２次巻線部が設けられた２次ボビンとを有する本発明の一実施の形態かかる多出力トランスは、１つの１次巻線部１３が設けられた１次ボビン１０と、２つの２次巻線部１４が設けられた２次ボビン１１と、１次巻線部１３に巻線された１次コイル１５と、２つの２次巻線部１４に各々巻線された２次コイル１６と、１次ボビン１０及び２次ボビン１１内に設けられた挿入ホールに挿入されるコア１２とを備える。
【００３３】
１次ボビン１０に設けられた１次巻線部１３は、入力端子１７ａ及び接地端子１７ｂを備えており、１次側の電圧は入力端子１７ａを介して与えられる。なお、入力端子１７ａ及び接地端子１７ｂの両方は全て同じ方向に位置する。また、入力端子１７ａ及び接地端子１７ｂは１次巻線部１３の両端部に位置する。
【００３４】
１次ボビン１０の１次巻線部１３には、１次コイル１５が巻線されている。なお、１次コイル１５は、１次巻線部１３の入力端子１７ａから巻線が始まって、接地端子１７ｂで巻線が終わるように構成されていても良い。
【００３５】
１次ボビン１０から分離された２次ボビン１１に設けられた２つの２次巻線部１４は、各々２つの出力端子１８ａおよび１８ｂと２つの出力端子１８ｃおよび１８ｄとのうちのいずれか一方を備える。各２次巻線部１４の２つの出力端子１８ａおよび１８ｂと出力端子１８ｃおよび１８ｄとは、全て同じ方向に位置する。また、２つの出力端子１８ａ及び１８ｂは、２次巻線部１４の両端部に位置する。
【００３６】
２次ボビン１１の２次巻線部１４の各々には、２次コイル１６が巻線されている。なお、２次コイル１６は、２次巻線部１４の一方の出力端子１８ａから巻線が始まって、他方の出力端子１８ｂで巻線が終わるように構成されていても良い。
【００３７】
従来では４つのトランスを用いて４つのランプまたは２つのＵ字状ランプを駆動させていたが、図２及び図３に示されるような前述のような構成によって、一つのトランスでそれらのランプを駆動させることが可能となる。これにより、従来のトランスの駆動時より費用を４分の１削減可能になると共に、トランスを用いた製品の大きさを従来より小型化することができる。
【００３８】
２次ボビン１１は、１次ボビン１０に対して一定の間隔を置いて分離されており、トランスと電気的に接続する印刷回路基板に対して十分な絶縁離間距離を確保することができる。また、従来多くの問題を引き起こした高圧出力側のリターンワイヤの発生を抑制することができ、さらにまた高圧出力側とリターンワイヤとの絶縁問題およびリターンワイヤによるノイズの発生を取り除き、さらには出力電流の波形も歪まないようになる。
【００３９】
なお、２次ボビン１１は１次ボビン１０と同じ大きさを有し、１次ボビン１０と対向するように位置していても良い。これにより、２次巻線部１４のそれぞれに巻線された２次コイル１６は、常に同じ巻線比で１次巻線部１３に巻線された１次コイル１５と対応するので、１次側の電圧が均一に２次側へと誘起されて出力電流のバランスを合せることができる。
【００４０】
また、１次ボビン１０と２次ボビン１１とが分離されるように、１次ボビン１０及び２次ボビン１１内に設けられた挿入ホールに一対のコア１２が挿入される。なお、多出力トランスにはＵ字状コアが挿入されても良い。
【００４１】
本発明の一実施の形態による多出力トランスにおける２つの２次巻線部１４が設けられた２次ボビン１１は、２つの出力端子１８ａおよび１８ｂと２つの出力端子１８ｃおよび１８ｄとの反対方向に３つの補助端子１９ａ〜１９ｃを有する。これらの補助端子１９ａ〜１９ｃは、２次巻線部１４の各々の両端部に位置する。
【００４２】
この時、２次コイル１６は、２次巻線部１４の補助端子１９ａから巻線が始まって、２つの出力端子１８ａ及び１８ｂのうちのいずれか一方の出力端子１８ｂで巻線が終わるように構成されていても良い。また、２次コイル１６は、補助端子１９ｂから巻線が始まって、２つの出力端子１８ａ及び１８ｂのうちのいずれか一方の出力端子１８ａで巻線が終わるように構成されていても良い。
【００４３】
なお、補助端子１９ａ〜１９ｃは、多出力トランスを組み込むバックライト駆動回路において、高圧出力の各２次巻線部１４に誘起された電圧を感知し、異常電圧が感知された場合、電源供給を中断させる保護機能を行うことができる。
【００４４】
前述のような構成によって成された本発明の一実施の形態による多出力トランスでは、１つのトランスで２つのランプまたは１つのＵ字状ランプを駆動させることができ、１つのトランスで巻線方式に従って使用者が所望の出力を作リ出すことができる。
【００４５】
（実施の形態２）
図４は、１次ボビンと１次ボビンから分離された４つの２次巻線部が設けられた２次ボビンとを有する本発明の好適な実施の形態２にかかる多出力トランスの平面図であり、図５及び図６は、多出力トランスの等価回路を示した図面である。
【００４６】
１次ボビンと、１次ボビンから分離された４つの２次巻線部が設けられた２次ボビンとを有する図４に示される本発明の実施の形態２にかかる多出力トランスは、１つの１次巻線部４３が設けられた１次ボビン４０と、４つの２次巻線部４４が設けられた２次ボビン４１と、１次巻線部４３に巻線された１次コイル４５と、４つの２次巻線部４４に各々巻線された２次コイル４６と、１次ボビン４０及び２次ボビン４１内に設けられた挿入ホールに挿入されるコア４２と、を備える。
【００４７】
１次ボビン４０に設けられた１次巻線部４３は、入力端子４７ａ及び接地端子４７ｂを備え、１次側の電圧は入力端子４７ａを介して与えられる。なお、入力端子４７ａ及び接地端子４７ｂは全て同じ方向に位置している。また、入力端子４７ａ及び接地端子４７ｂは１次巻線部４３の両端部に位置している。
【００４８】
１次ボビン４０の１次巻線部４３には１次コイル４５が巻線されている。なお、１次コイル４５は、１次巻線部４３の入力端子４７ａから巻線が始まって、接地端子４７ｂで巻線が終わるように構成されていても良い。
【００４９】
１次ボビン４０から分離された２次ボビン４１に設けられた４つの２次巻線部４４のそれぞれは、２つの出力端子４８ａおよび４８ｂ、２つの出力端子４８ｃおよび４８ｄ、２つの出力端子４８ｅおよび４８ｆ、２つの出力端子４８ｇおよび４８ｈのうちのいずれかを備える。それらの出力端子４８ａ〜４８ｈは全て同じ方向に位置している。また、２つの出力端子４８ａ及び４８ｂは、２次巻線部４４の両端部に位置している。
【００５０】
２次ボビン４１の各２次巻線部４４には２次コイル４６が巻線されている。なお、２次コイル４６は、２次巻線部４４の一方の出力端子４８ａから巻線が始まって、他方の出力端子４８ｂで巻線が終わるように構成されていても良い。
【００５１】
従来では８つのトランスを用いて８つのランプまたは４つのＵ字状ランプを駆動させていたが、図５及び図６に示されるような前述のような構成によって一つのトランスで８つのランプまたは４つのＵ字状ランプを駆動させることが可能となる。これにより、従来のトランスの駆動時より費用を８分の１削減できると共に、トランスを用いた製品の大きさを従来のものと比較して小型化することが可能となる。
【００５２】
２次ボビン４１は、１次ボビン４０から一定の間隔を置いて分離されており、トランスと電気的に接続する印刷回路基板に対して十分な絶縁離間距離を確保することができる。また従来多くの問題を引き起こした高圧出力側のリターンワイヤの発生を抑制することができ、また高圧出力側とリターンワイヤとの絶縁問題及びリターンワイヤによるノイズの発生を解消し、さらにまた出力電流の波形も歪まない。
【００５３】
なお、２次ボビン４１は１次ボビン４０と同じ大きさを有し、１次ボビン４０と対向するように位置していても良い。これにより、２次巻線部４４のそれぞれに巻線された２次コイル４６は、常に同一の巻線比で１次巻線部４３に巻線された１次コイル４５と対応するので、１次側の電圧が均一に２次側に誘起されて出力電流のバランスを合せることができる。
【００５４】
また、１次ボビン４０と２次ボビン４１とが分離されるように、１次ボビン４０及び２次ボビン４１内に設けられた挿入ホールに一対のコア４２が挿入されるが、多出力トランスにＵ字状コアを挿入しても良い。
【００５５】
本発明の実施の形態２による多出力トランスにおける４つの２次巻線部４４が設けられた２次ボビン４１は、２つの出力端子４８ａおよび４８ｂと、２つの出力端子４８ｃおよび４８ｄと、２つの出力端子４８ｅおよび４８ｆと、２つの出力端子４８ｇおよび４８ｈとの反対側に５つの補助端子４９ａ〜４９ｅを備える。これらの補助端子４９ａ〜４９ｅは２次巻線部４４の各々の両端部に位置している。
【００５６】
なお、この時２次コイル４６は、２次巻線部４４の補助端子４９ａから巻線が始まって、２つの出力端子４８ａ及び４８ｂのうちのいずれか一方の出力端子である出力端子４８ｂで巻線が終わるように構成されていても良い。また、２次コイル４６は、補助端子４９ｂから巻線が始まって、２つの出力端子４８ａ及び４８ｂのうちのいずれか一方の出力端子４８ａで巻線が終わるように構成されていても良い。
【００５７】
なお、補助端子４９ａ〜４９ｅは、多出力トランスを組み込むバックライト駆動回路において、高圧出力の２次巻線部４４の各々に誘起された電圧を感知して、異常電圧が感知された場合、電源供給を中断させる保護機能を行うことができる。
【００５８】
前述のような構成によって成された本発明の実施の形態２による多出力トランスは、１つのトランスで４つのランプまたは２つのＵ字状ランプを駆動させることができ、１つのトランスで巻線方式に従って使用者が所望の出力を作り出すことができる。
【００５９】
（実施の形態３）
図７は、１次ボビンが２つの２次巻線部が設けられた２次ボビン内の挿入ホールに挿入される本発明の好適な実施の形態３かかる多出力トランスの平面図であり、図８及び図９は、多出力トランスの等価回路を示した図面である。
【００６０】
１次ボビンが２つの２次巻線部の設けられた２次ボビン内の挿入ホールに挿入されて構成される図７に示される本発明の実施の形態３にかかる多出力トランスは、１次巻線部７３が設けられた１次ボビン７０と、２つの２次巻線部７４が設けられた２次ボビン７１と、１次巻線部７３に巻線された１次コイル７５と、２つの２次巻線部７４に各々巻線された２次コイル７６と、コア７２とを備える。
【００６１】
１次ボビン７０に設けられた１次巻線部７３は、入力端子７７ａ及び接地端子７７ｂを備え、１次側の電圧は入力端子７７ａを介して与えられる。なお、入力端子７７ａ及び接地端子７７ｂは１次巻線部７３の両端部に位置する。
【００６２】
１次ボビン７０の１次巻線部７３には１次コイル７５が巻線されている。なお、１次コイル７５は、１次巻線部７３の入力端子７７ａから巻線が始まって、接地端子７７ｂで巻線が終わるように構成されていても良い。
【００６３】
２次ボビン７１に設けられた２つの２次巻線部７４は、それぞれ２つの出力端子７８ａおよび７８ｂと、２つの出力端子７８ｃおよび７８ｄとのうちのいずれかを備える。各２次巻線部７４の２つの出力端子７８ａおよび７８ｂと２つの出力端子７８ｃおよび７８ｄとは全て同じ方向に位置する。また、２つの出力端子７８ａ及び７８ｂは２次巻線部７４の両端部に位置する。
【００６４】
２次ボビン７１の２次巻線部７４の各々には２次コイル７６が巻線されている。なお、２次コイル７６は、２次巻線部７４の一方の出力端子７８ａから巻線が始まって、他方の出力端子７８ｂで巻線が終わるように構成されていても良い。
【００６５】
従来では４つのトランスを用いて４つのランプまたは２つのＵ字状ランプを駆動させていたが、図８および図９に示されるような前述の構成によって、一つのトランスで４つのランプまたは２つのＵ字状ランプを駆動させることができる。これにより、従来のトランスの駆動時より費用を４分の１削減することが可能になると共に、トランスを用いた製品の大きさも従来のものと比較して小型化することができるようになる。
【００６６】
１次ボビン７０が２次ボビン７１内に設けられた挿入ホールに一定の間隔で離間されるように挿入されており、トランスと電気的に接続する印刷回路基板に対して十分な絶縁離間距離を確保することができる。また従来多くの問題を引き起こした高圧出力側のリターンワイヤの発生を抑制することができ、さらには高圧出力側とリターンワイヤとの絶縁問題及びリターンワイヤによるノイズの発生を解消し、しかも出力電流の波形も歪まない。
【００６７】
また、２次ボビン７１と同一の長さを有する１次ボビン７０が、２次ボビン７１内に設けられた挿入ホールに一定の間隔で離間されるように挿入されており、２次巻線部７４のそれぞれに巻線された２次コイル７６は、常に同一の巻線比で１次巻線部７３に巻線された１次コイル７５と対応するので、１次側の電圧が均一に２次側へと誘起されて出力電流のバランスを合せることができる。
【００６８】
なお、２次ボビン７１内に設けられた挿入ホールに１次ボビン７０が挿入され、１次ボビン７０内に設けられた挿入ホールに一対のコア７２が挿入されるが、多出力トランスにはＵ字状コアを挿入しても良い。
【００６９】
本発明の実施の形態３にかかる多出力トランスにおける２つの２次巻線部７４が設けられた２次ボビン７１は、２つの出力端子７８ａおよび７８ｂと２つの出力端子７８ｃおよび７８ｄとの反対側に３つの補助端子７９ａ〜７９ｃを備えており、これらの補助端子７９ａ〜７９ｃは２次巻線部７４の各々の両端部に位置する。
【００７０】
なお、この時２次コイル７６は、２次巻線部７４の補助端子７９ａから巻線が始まって、出力端子７８ａ及び７８ｂのうちのいずれか一方の出力端子である出力端子７８ｂで巻線が終わるように構成されていても良い。また、２次コイル７６は、補助端子７９ｂから巻線が始まって、出力端子７８ａ及び７８ｂのうちのいずれか一方の出力端子である出力端子７８ａで巻線が終わるように構成されていても良い。
【００７１】
なお、補助端子７９ａ〜７９ｃは、多出力トランスを組み込むバックライト駆動回路において、高圧出力の各２次巻線部７４に誘起された電圧を感知して、異常電圧が感知された場合、電源供給を中断させる保護機能を行うことができる。
【００７２】
前述のような構成によって成された本発明の実施の形態３による前記多出力トランスは、１つのトランスで２つのランプまたは１つのＵ字状ランプを駆動させることができ、１つのトランスで巻線方式に従って使用者が所望の出力を作り出すことができる。
【００７３】
（実施の形態４）
図１０は、１次ボビンが４つの２次巻線部の設けられた２次ボビン内の挿入ホールに挿入されて構成される本発明の好適な実施の形態４にかかる多出力トランスの平面図であり、図１１及び図１２は、該多出力トランスの等価回路を示した図面である。
【００７４】
１次ボビンが４つの２次巻線部が設けられた２次ボビン内の挿入ホールに挿入されて構成された図１０に示される本発明の他の実施の形態にかかる多出力トランスは、１つの１次巻線部１０３が設けられた１次ボビン１００と、２つの２次巻線部１０４が設けられた２次ボビン１０１と、１次巻線部１０３に巻線された１次コイル１０５と、４つの２次巻線部１０４のそれぞれに巻線された２次コイル１０６と、コア１０２と、を備える。
【００７５】
１次ボビン１００に設けられた１次巻線部１０３は、入力端子１０７ａ及び接地端子１０７ｂを備える。なお、１次側の電圧は入力端子１０７ａを介して与えられる。また、入力端子１０７ａ及び接地端子１０７ｂは１次巻線部１０３の両端部に位置する。
【００７６】
１次ボビン１００の１次巻線部１０３には１次コイル１０５が巻線されている。なお、１次コイル１０５は、１次巻線部１０３の入力端子１０７ａから巻線が始まって、接地端子１０７ｂで巻線が終わるように構成されていても良い。
【００７７】
２次ボビン１０１に設けられた４つの２次巻線部１０４は、各々２つの出力端子１０８ａおよび１０８ｂ、２つの出力端子１０８ｃおよび１０８ｄ、２つの出力端子１０８ｅおよび１０８ｆ、２つの出力端子１０８ｇおよび１０８ｈのうちのいずれかを備える。各２次巻線部１０４の出力端子１０８ａ〜１０８ｈは全て同じ方向に位置する。また、２つの出力端子１０８ａ及び１０８ｂは２次巻線部１０４の両端部に位置する。
【００７８】
２次ボビン１０１の２次巻線部１０４の各々には２次コイル１０６が巻線されている。なお、２次コイル１０６は２次巻線部１０４の一方の出力端子１０８ａから巻線が始まって、他方の出力端子１０８ｂで巻線が終わるように構成されていても良い。
【００７９】
従来では８つのトランスを用いて８つのランプまたは４つのＵ字状ランプを駆動させていたが、図１１及び図１２に示される前述のような構成によって、一つのトランスで８つのランプまたは４つのＵ字状ランプを駆動させることができる。これにより、従来のトランスの駆動時より費用を８分の１削減できると共に、トランスを用いた製品の大きさも従来のものと比較して小型化することができる。
【００８０】
１次ボビン１００は、２次ボビン１０１内に設けられた挿入ホールに一定の間隔で離間されるように挿入されており、トランスと電気的に接続する印刷回路基板に対して十分な絶縁離間距離を確保することができる。また、従来多くの問題を引き起こした高圧出力側のリターンワイヤの発生を抑制することができ、高圧出力側とリターンワイヤとの絶縁問題及びリターンワイヤによるノイズの発生を解消でき、しかも出力電流の波形も歪まない。
【００８１】
また、２次ボビン１０１と同一の長さを有する１次ボビン１００が２次ボビン１０１内に設けられた挿入ホールに一定の間隔で離間されるように挿入されており、２次巻線部１０４のそれぞれに巻線された２次コイル１０６は、常に同一の巻線比で１次巻線部１０３に巻線された１次コイル１０５と対応し、これにより１次側の電圧が均一に２次側へと誘起されて出力電流のバランスを合せることができる。
【００８２】
なお、２次ボビン１０１内に設けられた挿入ホールに１次ボビン１００が挿入され、１次ボビン１００内に設けられた挿入ホールに一対のコア１０２が挿入されているが、多出力トランスにはＵ字状コアが挿入されることも可能である。
【００８３】
本発明の実施の形態４にかかる多出力トランスにおける４つの２次巻線部１０４が設けられた２次ボビン１０１は、２つの出力端子１０８ａおよび１０８ｂと２つの出力端子１０８ｃおよび１０８ｄと２つの出力端子１０８ｅおよび１０８ｆと２つの出力端子１０８ｇおよび１０８ｈとの反対側に５つの補助端子１０９ａ〜１０９ｅを備えており、これらの補助端子１０９ａ〜１０９ｅは２次巻線部１０４の各々の両端部に位置している。
【００８４】
なお、この時２次コイル１０６は、２次巻線部１０４の補助端子１０９ａから巻線が始まって、２つの出力端子１０８ａ及び１０８ｂのうちのいずれか一方の出力端子である出力端子１０８ｂで巻線が終わるように構成されていても良い。また、２次コイル１０６は、補助端子１０９ｂから巻線が始まって、２つの出力端子１０８ａ及び１０８ｂのうちのいずれか一方の出力端子である出力端子１０８ａで巻線が終わるように構成されていても良い。
【００８５】
なお、補助端子１０９ａ〜１０９ｅは、多出力トランスを組み込むバックライト駆動回路において、高圧出力の２次巻線部１０４の各々に誘起された電圧を感知して、異常電圧が感知された場合、電源供給を中断させる保護機能を行うことができる。
【００８６】
前述のような構成によって成された本発明の実施の形態４による前記多出力トランスは、１つのトランスで４つのランプまたは２つのＵ字状ランプを駆動させることができ、１つのトランスで巻線方式に従って使用者が所望の出力を作り出すことができる。
【００８７】
上記において、本発明の好適な実施の形態について説明したが、本発明の請求範囲を逸脱することなく、当業者は種々の改変をなし得るであろう。
【図面の簡単な説明】
【００８８】
【図１】本発明の一実施の形態による多出力トランスの平面図である。
【図２】図１の多出力トランスの等価回路を示した図面である。
【図３】図１の多出力トランスの等価回路を示した図面である。
【図４】本発明の実施の形態２による多出力トランスの平面図である。
【図５】図４の多出力トランスの等価回路を示した図面である。
【図６】図４の多出力トランスの等価回路を示した図面である。
【図７】本発明の実施の形態３による多出力トランスの平面図である。
【図８】図７の多出力トランスの等価回路を示した図面である。
【図９】図７の多出力トランスの等価回路を示した図面である。
【図１０】本発明の実施の形態４による多出力トランスの平面図である。
【図１１】図１０の多出力トランスの等価回路を示した図面である。
【図１２】図１０の多出力トランスの等価回路を示した図面である。
【符号の説明】
【００８９】
１０      １次ボビン
１１      ２次ボビン
１２      コア
１３      １次巻線部
１４      ２次巻線部
１５      １次コイル
１６      ２次コイル
１７ａ      入力端子
１７ｂ      接地端子
１８ａ〜１８ｄ      出力端子
１９ａ〜１９ｃ      補助端子
【図１】
2009246328.tif 000003
【図２】
2009246328.tif 000004
【図３】
2009246328.tif 000005
【図４】
2009246328.tif 000006
【図５】
2009246328.tif 000007
【図６】
2009246328.tif 000008
【図７】
2009246328.tif 000009
【図８】
2009246328.tif 000010
【図９】
2009246328.tif 000011
【図１０】
2009246328.tif 000012
【図１１】
2009246328.tif 000013
【図１２】
2009246328.tif 000014